(57)【特許請求の範囲】
【請求項１】
車載装置と携帯情報端末との間で利用される無線によるコンテンツ転送システムであって、
前記携帯情報端末が携帯電話網を介して接続したインターネットからダウンロード又はストリーミング再生を介して有するコンテンツデータのファイル形式及び／又はビットレートを読み取るコンテンツデータ読取部と、
前記コンテンツデータ読取部の読み取り結果に応じて複数の転送モードのうちの何れかを選択する転送モード選択部と、
前記携帯情報端末から前記車載装置へ前記転送モード選択部が選択した転送モードで前記コンテンツデータを送信するデータ転送部と、
前記車載装置又は前記携帯情報端末の少なくとも一方に、操作がされることで前記コンテンツデータの前記ダウンロード又は前記ストリーミング再生を開始できる入力部と、
を備え、
前記コンテンツデータの前記ファイル形式が静止画ファイル形式と判別され、且つ／又は前記コンテンツデータの前記ビットレートが所定のビットレート未満である場合、前記転送モード選択部は、前記複数の転送モードのうちの周波数ポッピングを利用するBluetooth（登録商標）転送モードを選択する一方で、
前記コンテンツデータの前記ファイル形式が動画ファイル形式と判別され、且つ／又は前記コンテンツデータの前記ビットレートが前記所定のビットレート以上である場合、前記転送モード選択部は、前記複数の転送モードのうちのLAN接続を利用するWifi転送モードを選択し、
前記データ転送部は、前記コンテンツデータの前記ファイル形式が動画ファイル形式と判別され、且つ／又は前記コンテンツデータの前記ビットレートが前記所定のビットレート以上である場合であっても、前記コンテンツデータのダウンロード中は前記Bluetooth（登録商標）転送モードで前記コンテンツデータを前記携帯情報端末から前記車載装置に送信し、前記コンテンツデータの前記ダウンロードが完了した後に前記転送モードを前記Bluetooth（登録商標）転送モードから前記Wifi転送モードに切り替えて前記コンテンツデータを前記携帯情報端末から前記車載装置に送信し、
前記入力部は、前記コンテンツデータの前記ファイル形式が動画ファイル形式と判別され、且つ／又は前記コンテンツデータの前記ビットレートが前記所定のビットレート以上である場合、前記コンテンツデータの前記ダウンロードが完了するまで、前記入力部への前記操作を無効にすることを特徴とするコンテンツ転送システム。
【請求項２】
前記転送モード選択部によって選択される転送モードで前記コンテンツデータを前記携帯情報端末から前記車載装置に送信する前に、前記コンテンツデータを蓄積及び／又は圧縮するデータ処理部を
さらに備えることを特徴とする請求項１に記載のコンテンツ転送システム。
【発明の詳細な説明】
【技術分野】
【０００１】
本発明は、車載装置と携帯情報端末との間で利用される無線によるコンテンツ転送システム等に関する。
【背景技術】
【０００２】
例えば特許文献１の図１は、車載装置と携帯情報端末が連携するシステムとして、車載装置及び携帯電話端末装置Ａ，Ｂ，Ｃを開示している。また、特許文献１の段落［００１３］の記載によれば、車載装置と携帯電話端末装置Ａ，Ｂ，Ｃが例えばBluetooth（登録商標）で連携し、代替的に、車載装置と携帯電話端末装置Ａ，Ｂ，ＣがWifi(wireless fidelity)で連携してもよい。
【先行技術文献】
【特許文献】
【０００３】
【特許文献１】特開２０１０−１９９７１８号公報
【発明の概要】
【発明が解決しようとする課題】
【０００４】
ところで、特許文献１の携帯電話端末装置Ａ，Ｂ，Ｃ等の携帯情報端末は、様々なアプリケーションを有することが可能であり、アプリケーションの種類によっては、無線による画像等のコンテンツ転送においてBluetooth（登録商標）よりもWifiの方が好ましい。しかしながら、日本国内においてテザリングが規制される携帯情報端末は、携帯電話網に接続しながらWifiを利用することができない。言い換えれば、どのようなアプリケーションに対しても、１つの転送モードが固定されていた。
【０００５】
本発明の１つの目的は、適切な転送モードを選択可能なコンテンツ転送システムを提供することである。本発明の他の目的は、以下に例示する態様及び好ましい実施形態、並びに添付の図面を参照することによって、当業者に明らかになるであろう。
【課題を解決するための手段】
【０００６】
以下に、本発明の概要を容易に理解するために、本発明に従う態様を例示する。
【０００７】
本発明に従う第１の態様は、車載装置と携帯情報端末との間で利用される無線によるコンテンツ転送システムであって、
前記携帯情報端末が有するコンテンツデータのファイル形式及び／又はビットレートを読み取るコンテンツデータ読取部と、
前記コンテンツデータ読取部の読み取り結果に応じて複数の転送モードのうちの何れかを選択する転送モード選択部と、
を備えることを特徴とするコンテンツ転送システムに関係する。
【０００８】
転送モード選択部は、複数の転送モードのうちの何れかを選択可能であるので、コンテンツデータ読取部の読み取り結果に応じて適切な転送モードを選択することができる。
【０００９】
第１の態様において、前記コンテンツデータの前記ファイル形式が静止画ファイル形式と判別され、且つ／又は前記コンテンツデータの前記ビットレートが所定のビットレート未満である場合、前記転送モード選択部は、前記複数の転送モードのうちの周波数ポッピングを利用する転送モードを選択してもよい。
【００１０】
転送モード選択部は、Bluetooth（登録商標）等の周波数ポッピングを利用する転送モードを選択するので、静止画ファイル形式のコンテンツデータ及び／又は低ビットレートのコンテンツデータを転送速度が劣化したチャネルを排除して、安定したチャネルで転送することができる。
【００１１】
第１の態様において、前記コンテンツデータの前記ファイル形式が動画ファイル形式と判別され、且つ／又は前記コンテンツデータの前記ビットレートが所定のビットレート以上である場合、前記転送モード選択部は、前記複数の転送モードのうちのLAN接続を利用する転送モードを選択してもよい。
【００１２】
転送モード選択部は、Wifi等のLAN(Local Area Network)接続を利用する転送モードを選択するので、動画ファイル形式のコンテンツデータ及び／又は高ビットレートのコンテンツデータを速く転送することができる。
【００１３】
第１の態様において、コンテンツ転送システムは、
前記転送モード選択部によって選択される転送モードで前記コンテンツデータを前記携帯情報端末から前記車載装置に送信する前に、前記コンテンツデータを蓄積及び／又は圧縮するデータ処理部を
さらに備えてもよい。
【００１４】
コンテンツデータをデータ処理部で処理することで、効率的にコンテンツデータを転送することができる。
【００１５】
当業者は、例示した本発明に従う態様が、本発明の精神を逸脱することなく、さらに変更され得ることを容易に理解できるであろう。
【図面の簡単な説明】
【００１６】
【図１】図１（Ａ）及び図１（Ｂ）は、それぞれ、適切な転送モードを選択している本発明に従うコンテンツ転送システムの概略構成例を示す。
【図２】本発明に従うコンテンツ転送システムの概略機能ブロック図の１例を示す。
【図３】図３（Ａ）及び図３（Ｂ）は、それぞれ、静止画ファイル形式のコンテンツデータ及び動画ファイル形式のコンテンツデータの表示例を示す。
【図４】例えば図１の携帯情報端末のハードウェア構成例を示す。
【発明を実施するための形態】
【００１７】
以下に説明する好ましい実施形態は、本発明を容易に理解するために用いられている。従って、当業者は、本発明が、以下に説明される実施形態によって不当に限定されないことを留意すべきである。
【００１８】
図１は、本発明に従うコンテンツ転送システムの概略構成例を示し、図１（Ａ）は、適切な転送モードとして例えばBluetooth（登録商標）を利用する転送モードを示し、図１（Ｂ）は、適切な転送モードとして例えばWifiを利用する転送モードを示す。図１の例において、コンテンツ転送システム３００は、携帯情報端末１００及び車載装置２００を備え、コンテンツ転送システム３００において、車載装置２００と携帯情報端末１００が連携している。コンテンツ転送システム３００は、連携システムと呼ぶこともでき、以下、単にシステム３００と呼ぶ。具体的には、例えば携帯情報端末１００が制御部又はマスターとして機能し、車載装置２００が外部モニタ又はスレーブとして機能し、車載装置２００の表示部２１０は、携帯情報端末１００が有するアプリケーションの実行によって制御される。図１の例において、車載装置２００の表示部２１０に表示される画像は、例えば、携帯情報端末１００の表示部１１０に表示される画像を表し、表示部２１０の大きさ又は画素数が表示部１１０の大きさ又は画素数よりも大きい場合、携帯情報端末１００の表示部１１０に表示される画像は、表示部２１０側で拡大される。
【００１９】
図１の例において、携帯情報端末１００は、車載装置２００と連携可能な携帯電話端末（例えば、いわゆるスマートフォン）であり、携帯情報端末１００又は携帯電話端末は、基地局５０を介して携帯電話網（及びインターネット）に接続することができる。例えばモニタ装置、オーディオ装置、ナビゲーション装置等の車載装置２００は、図示せぬ自動車等の車両に搭載され、表示部２１０を有している。車載装置２００と携帯情報端末１００が連携することで、車載装置２００の表示部２１０は、携帯情報端末１００の外部モニタとして機能する。
【００２０】
図１（Ａ）で示すように、車載装置２００と携帯情報端末１００が例えば周波数ポッピングを利用するBluetooth（登録商標）等で連携する場合、携帯情報端末１００又は携帯電話端末は、携帯電話網との接続を継続することができる。一方、図１（Ｂ）で示すように、車載装置２００と携帯情報端末１００が例えばLAN接続を利用するWifi等で連携する場合、いわゆるテザリング規制によって、携帯情報端末１００又は携帯電話端末は、携帯電話網との接続を継続することができない。
【００２１】
図２は、本発明に従うシステム３００の概略機能ブロック図の１例を示す。図２の例において、システム３００は、画像データ読取部３４０及び転送モード選択部３５０を備え、データ処理部（第１のデータ処理部）３６０をさらに備えることができる。加えて、システム３００は、転送部３７０及びデータ処理部（第２のデータ処理部）３８０をさらに備えることができる。なお、システム３００は、図示されない構成を備えて他の様々な機能を実現してもよい。
【００２２】
図１の携帯情報端末１００が例えば携帯電話網を介してインターネットに接続し、例えばインターネット上の動画ファイル形式又は静止画ファイル形式のコンテンツデータをダウンロード又はストリーミング再生することができる。
【００２３】
図２の画像データ読取部３４０又はコンテンツデータ読取部は、例えば携帯情報端末１００がダウンロード又はストリーミング再生を介して有するコンテンツデータのファイル形式（例えば拡張子）を読み取り、コンテンツデータの種類を判別する。
【００２４】
画像データ読取部３４０又はコンテンツデータ読取部は、追加的に又は代替的に、例えば携帯情報端末１００がダウンロード又はストリーミング再生を介して有するコンテンツデータのビットレートを読み取り、コンテンツデータの種類を判別してもよい。即ち、画像データ読取部３４０又はコンテンツデータ読取部は、コンテンツデータのファイル形式だけを読み取ってコンテンツデータの種類を判別してもよく、コンテンツデータのビットレートだけを読み取ってコンテンツデータの種類を判別してもよく、又はコンテンツデータのファイル形式及びビットレートを読み取ってコンテンツデータの種類を判別してもよい。
【００２５】
さらに、画像データ読取部３４０又はコンテンツデータ読取部は、例えば携帯情報端末１００がダウンロード又はストリーミング再生を介して有するコンテンツデータのファイル形式が動画形式である場合に限って、動画形式のコンテンツデータのビットレートを読み取り、コンテンツデータの種類を判別してもよい。
【００２６】
図２の転送モード選択部３５０は、画像データ読取部３４０又はコンテンツデータ読取部の読み取り結果に応じて、複数の転送モードのうちの何れかを選択する。コンテンツデータのファイル形式が静止画ファイル形式である場合、転送モード選択部３５０は、複数の転送モード（例えばBluetooth（登録商標）転送モード及びWifi転送モード）のうちの周波数ポッピングを利用するBluetooth（登録商標）転送モードを選択する。転送モード選択部３５０は、周波数ポッピングを利用する転送モードを選択するので、静止画ファイル形式のコンテンツデータを転送速度が劣化したチャネルを排除して、安定したチャネルで転送することができる。一方、コンテンツデータのファイル形式が動画ファイル形式である場合、転送モード選択部３５０は、複数の転送モード（例えばBluetooth（登録商標）転送モード及びWifi転送モード）のうちのLAN接続を利用するWifi転送モードを選択する。転送モード選択部３５０は、LAN接続を利用する転送モードを選択するので、動画ファイル形式のコンテンツデータを速く転送することができる。
【００２７】
なお、コンテンツデータのファイル形式とは関係なくコンテンツデータのビットレートが所定のビットレート未満である場合、又はコンテンツデータのファイル形式が動画ファイル形式であり、且つ動画ファイル形式のコンテンツデータのビットレートが所定のビットレート未満である場合等、転送モード選択部３５０は、例えばBluetooth（登録商標）転送モード及びWifi転送モードのうちの周波数ポッピングを利用するBluetooth（登録商標）転送モードを選択してもよい。一方、コンテンツデータのファイル形式とは関係なくコンテンツデータのビットレートが所定のビットレート以上である場合、又はコンテンツデータのファイル形式が動画ファイル形式であり、且つ動画ファイル形式のコンテンツデータのビットレートが所定のビットレート以上である場合等、転送モード選択部３５０は、例えばBluetooth（登録商標）転送モード及びWifi転送モードのうちのLAN接続を利用するWifi転送モードを選択してもよい。
【００２８】
図２の転送部３７０は、データ処理部３６０を介さないで画像データ又はコンテンツデータを携帯情報端末１００から車載装置２００に送信してもよいが、好ましくは、画像データ又はコンテンツデータが送信される前に、データ処理部３６０で、画像データ又はコンテンツデータが蓄積及び／又は圧縮される。Bluetooth（登録商標）転送モード及びWifi転送モードの何れの転送モードでも、実際の転送速度は、電波の影響によって変動する。従って、画像データ又はコンテンツデータを一定の速度で送信し続けるのではなく、画像データ又はコンテンツデータを一時的に蓄積し、実際の転送速度を考慮しながら画像データ又はコンテンツデータを送信することが好ましい。また、画像データ又はコンテンツデータをそのまま送信するのではなく、画像データ又はコンテンツデータを圧縮し、圧縮された画像データ又はコンテンツデータを送信することが好ましい。画像データ又はコンテンツデータをデータ処理部３６０で処理することで、効率的に画像データ又はコンテンツデータを転送することができる。
【００２９】
画像データ又はコンテンツデータがデータ処理部３６０で圧縮されている場合、図２のデータ処理部（第２のデータ処理部）３８０は、画像データ又はコンテンツデータが送信された後に、圧縮された画像データ又はコンテンツデータを解凍することができる。
【００３０】
図３（Ａ）は、静止画ファイル形式のコンテンツデータの表示例を示し、図３（Ｂ）は、動画データファイル形式のコンテンツの表示例を示す。図３（Ａ）の例において、車載装置２００と携帯情報端末１００が連携している時に、携帯情報端末１００が保有する例えば地図情報を提示する地図アプリケーションが実行され、表示部１１０及び表示部２１０が制御されている。携帯情報端末１００の表示部１１０には地図アプリケーションでダウンロードされた静止画ファイル形式のコンテンツデータが表示される画面が、示されている。
【００３１】
地図アプリケーションは、表示部１１０の画面を構成する静止画ファイル形式のコンテンツデータを映像信号として例えばBluetooth（登録商標）のSPP(Serial Port Profile)で車載装置２００に送信し、表示部２１０を外部モニタとして機能させる。表示部１１０の画面は、拡大されて、表示部２１０の画面を形成し、表示部２１０にも、地図アプリケーションでダウンロードされた静止画ファイル形式のコンテンツデータが表示される画面が、示されている。なお、地図アプリケーション及び／又は他のアプリケーション（コンテンツ再生アプリケーション）が所定のビットレート未満のビットレートを有するコンテンツデータを再生する場合、そのコンテンツデータを映像信号として例えばBluetooth（登録商標）のSPPで車載装置２００に送信してもよい。
【００３２】
表示部１１０及び／又は表示部２１０の少なくとも１つが例えばタッチパネル式であり、地図アプリケーションは、助手が静止画ファイル形式のコンテンツデータ又は地図を例えば手で選択可能にさせて、図３（Ａ）で示すような地図を拡大又は縮小させ、或いは移動させることができる。なお、地図アプリケーションは、例えばBluetooth（登録商標）のHID(Human Interface Device )でタッチパネル式の表示部２１０（入力部）への操作を受信して、UMI（User Machine Interface) controlを実現することができる。
【００３３】
また、地図アプリケーションは、表示部１１０の画面に付随する音声信号を例えばBluetooth（登録商標）のA2DP(Advanced Audio Distribution Profile)で車載装置２００又は車載装置２００に接続されるスピーカに送信又は出力することができる。
【００３４】
なお、運転手が例えば携帯情報端末１００の図示せぬ電話アプリケーションを起動させると、電話アプリケーションは、例えばBluetooth（登録商標）のHFP(Hands-Free Profile)で運転手の音声信号を車載装置２００又は車載装置２００に接続されるマイクから受信又入力し、例えばBluetooth（登録商標）のHFPで相手の音声信号を車載装置２００又は車載装置２００に接続されるスピーカに送信又は出力することができる。なお、携帯情報端末１００は、車載装置２００と例えばUSB接続すると、車載装置２００又は車載装置２００に接続されるバッテリから電力の供給を受けることができる。
【００３５】
ところで、例えば動画アプリケーションでコンテンツデータを再生する場合、動画ファイル形式のコンテンツデータをBluetooth（登録商標）等の遅い転送速度で転送することは困難である。そこで、例えば動画アプリケーションは、表示部１１０の画像を構成する映像信号を例えばWifiで車載装置２００に送信し、表示部２１０を外部モニタとして機能させる。なお、動画アプリケーション及び／又は他のアプリケーション（コンテンツ再生アプリケーション）が所定のビットレート以上のビットレートを有するコンテンツデータを再生する場合、そのコンテンツデータを映像信号として例えばWifiで車載装置２００に送信してもよい。
【００３６】
また、動画アプリケーション等のコンテンツ再生アプリケーションが携帯電話網（及びインターネット）を介して動画ファイル形式のコンテンツデータ（及び／又は所定のビットレート以上のビットレートを有するコンテンツデータ）にアクセスしている場合、動画ファイル形式のコンテンツデータ等のこのようなコンテンツデータをダウンロードした後に、そのコンテンツデータを再生可能な状態にする（図３（Ｂ）参照）。言い換えれば、動画アプリケーション等のコンテンツ再生アプリケーションは、動画ファイル形式のコンテンツデータ（及び／又は所定のビットレート以上のビットレートを有するコンテンツデータ）のダウンロードが完了するまで、そのコンテンツデータの再生を延期又は中断する。動画ファイル形式のコンテンツデータ（及び／又は所定のビットレート以上のビットレートを有するコンテンツデータ）のダウンロードが行われている間だけ、例えばタッチパネル式の表示部１１０及び表示部２１０（入力部）への操作を無効にし、例えば再生スタートボタンを手で選択しても、動画ファイル形式のコンテンツデータ（及び／又は所定のビットレート以上のビットレートを有するコンテンツデータ）の再生を開始又は再開しない。動画ファイル形式のコンテンツデータ（及び／又は所定のビットレート以上のビットレートを有するコンテンツデータ）のダウンロードが完了して再生する時、動画アプリケーション等のコンテンツ再生アプリケーションは、表示部１１０の画面を構成する映像信号を例えばBluetooth（登録商標）のSPPからWifiに切り替えて車載装置２００に速く送信し、表示部２１０を外部モニタとして機能させる。
【００３７】
このようなダウンロードの完了後の再生時のBluetooth（登録商標）からWifiへの切り替えは、車載装置２００と携帯情報端末１００が例えばLAN接続を利用するWifi等で連携する場合、いわゆるテザリング規制によって、携帯情報端末１００又は携帯電話端末が携帯電話網との接続を継続することができない時に有効である。言い換えれば、例えば特許文献１の段落［００１３］で示されるように、一般には、車載装置と携帯電話端末が連携する時の転送モードは、Bluetooth（登録商標）、Wifi等の何れか１つに固定されていた。
【００３８】
図４は、例えば図１の携帯情報端末１００のハードウェア構成例を示す。図１の車載装置２００も、同様のハードウェア構成例を備えることができる。携帯情報端末１００は、例えばHDD、フラシュメモリ等の記憶部を有し、記憶部又は携帯情報端末１００には、OSアプリケーション及びOSアプリケーション上で実行可能なコンテンツ再生アプリケーションを記憶することができる。コンテンツ再生アプリケーションは、静止画ファイル形式のコンテンツデータ及び動画ファイル形式のコンテンツデータの両者を再生可能な少なくとも１つのマルチコンテンツ再生アプリケーションでもよく、複数のコンテンツ再生アプリケーションでもよい。コンテンツ再生アプリケーションの範囲には、例えば地図アプリケーション、写真アプリケーション等の静止画ファイル形式のコンテンツデータを再生可能なアプリケーションだけでなく、動画アプリケーション、音楽アプリケーション、テレビアプリケーション等の動画ファイル形式のコンテンツデータを再生可能なアプリケーションも含まれる。このようなコンテンツ再生アプリケーションが例えばCPU等の処理部又は携帯情報端末１００によって実行されることで、携帯情報端末１００の処理部又はコンピュータを図２の画像データ読取部３４０、転送モード選択部３５０、データ処理部３６０及び転送部３７０として機能させることができる。
【００３９】
図４の例において、携帯情報端末１００は、入力部及び表示部を有し、入力部及び表示部は、例えばタッチパネル式のディスプレイパネルモジュールで構築することができる。携帯情報端末１００は、通信部を有し、通信部は、例えば3G通信モジュール、Bluetooth（登録商標）通信モジュール、Wifi通信モジュールで構築することができる。携帯情報端末１００は、インターフェースを有し、インターフェースは、例えばUSBインターフェースモジュールで構築することができる。
【００４０】
車載装置２００は、例えばHDD、フラシュメモリ等の記憶部を有し、記憶部又は車載装置２００には、例えばOSアプリケーション及びOSアプリケーション上で実行可能な少なくとも１つのアプリケーションを記憶することができる。少なくとも１つのアプリケーションは、例えば、携帯情報端末１００との連携を認識する連携認識アプリケーションであり、連携認識アプリケーションは、例えば動画プリケーション等のコンテンツ再生アプリケーションが実行されている場合に携帯情報端末１００からの映像信号を受信し、携帯情報端末１００との連携を実行する。
【００４１】
車載装置２００は、入力部及び表示部を有し、入力部及び表示部は、例えばタッチパネル式のディスプレイパネルモジュールで構築することができる。車載装置２００は、通信部を有し、通信部は、例えばBluetooth（登録商標）通信モジュール、Wifi通信モジュールで構築することができる。車載装置２００は、インターフェースを有し、インターフェースは、例えばUSBインターフェースモジュール、スピーカインターフェースモジュール、マイクインターフェースモジュールで構築することができる。なお、車載装置２００は、CAN（controller area network）等の車載ネットワークに接続することができる。
【００４２】
なお、例えば動画アプリケーション等のコンテンツ再生アプリケーションが実行されることで、携帯情報端末１００の処理部又はコンピュータを図２の画像データ読取部３４０、転送モード選択部３５０、データ処理部３６０及び転送部３７０として機能させることができるが、連携認識アプリケーションが実行されることで、車載装置２００の処理部又はコンピュータを画像データ読取部３４０の一部、転送モード選択部３５０の一部、データ処理部３６０の一部及び転送部３７０の一部として機能させてもよい。車載装置２００の連携認識アプリケーションと同様な連携認識アプリケーションが携帯情報端末１００で実行されてもよい。車載装置２００の連携認識アプリケーションが実行されることで、車載装置２００の処理部又はコンピュータを図２のデータ処理部３８０として機能させることができるが、動画アプリケーション等のコンテンツ再生アプリケーションが実行されることで、携帯情報端末１００の処理部又はコンピュータをデータ処理部３８０の一部として機能させてもよい。
【００４３】
ところで、車載装置２００と携帯情報端末１００が図示せぬ中継装置を介して連携してもよく、車載装置２００と中継装置が例えば有線形式で連携し、その中継装置と携帯情報端末１００が例えば無線形式で連携してもよい。
【００４４】
加えて、携帯情報端末１００の表示部１１０に表示される画像が車載装置２００の表示部２１０側で表示される時に、車載装置２００のOSアプリケーション及び／又はOSアプリケーション上で実行可能なアプリケーションがVNC（Virtual Network Computing）のクライアント側として機能し、携帯情報端末１００のOSアプリケーション及び／又はOSアプリケーション上で実行可能なアプリケーションがVNCのサーバ側として機能してもよい。
【００４５】
本発明は、上述の例示的な実施形態に限定されず、また、当業者は、上述の例示的な実施形態を特許請求の範囲に含まれる範囲まで、容易に変更することができるであろう。
【符号の説明】
【００４６】
５０・・・基地局、１００・・・携帯情報端末、１１０・・・表示部、２００・・・車載装置、２１０・・・表示部、３００・・・コンテンツ転送システム（連携システム）、３４０・・・画像データ読取部、３５０・・・転送モード選択部、３６０・・・データ処理部、３７０・・・転送部、３８０・・・データ処理部、４００・・・パーキングブレーキセンサ。
【図１】
0005646441.tif 000002
【図２】
0005646441.tif 000003
【図３】
0005646441.tif 000004
【図４】
0005646441.tif 000005